【事件の表示】
　特許第２８１６１５９号「情報処理装置」の請求項１に係る特許に対する特許異議の申立てについて、次のとおり決定する。
【結　論】
　訂正を認める。
　特許第２８１６１５９号の請求項１に係る特許を維持する。
【理　由】
【１】手続の経緯
　本件特許第２８１６１５９号は、昭和６３年１０月４日に特許出願され、平成１０年８月１４日に特許の設定登録がなされ、その後、平成１１年４月２３日に渡部廣美より特許異議の申立てがなされ、取消理由通知がなされ、その指定期間内である平成１２年１月２４日に訂正請求がなされたものである。
【２】 訂正の適否についての判断
　１．訂正の内容
　特許権者が求めている訂正の内容は、以下（ａ）、（ｂ）、（ｃ）、（ｄ）のとおりのものである。
（ａ）特許請求の範囲の請求項１に記載の「編集メニュー選択用カーソル位置の近くに」を、「編集メニュー選択用カーソル位置が含まれるように編集メニュー選択用カーソル位置の近くに」と訂正する。
（ｂ）同請求項１に記載の「前記編集情報に優先して前記編集メニューを表示する」を、「前記編集情報に優先して前記編集メニューの全領域を表示する」と訂正する。
（ｃ）同請求項１に記載の「編集メニューの全領域が表示されるように」を、「前記編集メニュー選択用カーソルを移動することなく前記編集メニューの全領域が表示されるように」と訂正する。
（ｄ）発明の詳細な説明の欄の記載において、［課題を解決するための手段］（特許公報第２頁左欄第１８〜３１行参照）における「前記制御手段に、編集メニュー選択用カーソル位置の近くに前記編集情報に優先して前記編集メニューを表示すると共に編集メニュー選択用カーソル位置が表示画面の端部にあるときに編集メニュー表示の指示があった場合には、前記編集メニューの全領域が表示されるようにその編集メニューを表示画面の中央側に寄せて表示する編集メニュー表示位置制御手段を設けたことを特徴とする。」を、「前記制御手段に、編集メニュー選択用カーソル位置が含まれるように編集メニュー選択用カーソル位置の近くに前記編集情報に優先して前記編集メニューの全領域を表示すると共に編集メニュー選択用カーソル位置が表示画面の端部にあるときに編集メニュー表示の指示があった場合には、前記編集メニュー選択用カーソルを移動することなく前記編集メニューの全領域が表示されるようにその編集メニューを表示画面の中央側に寄せて表示する編集メニュー表示位置制御手段を設けたことを特徴とする。」と訂正する。
　２．訂正の目的の適否及び拡張・変更の存否
　上記（ａ）、（ｂ）の訂正事項に関連する記載として、（ａ）については、編集メニュー選択用カーソル位置と編集メニュー表示位置との関係を限定するものであり、「近くに」という既述の位置関係を更に限定して「含まれるように近くに」とするものであり、この訂正は、特許公報第３頁左欄第１８〜２０行の記載並びに第１図（ロ）における図示構造で支持されており、（ｂ）については、編集メニューの表示の態様を具体的に特定するものであり、この訂正は、同公報第２頁左欄第１６〜１７行、第３頁右欄第２８〜２９行に記載されている。
　上記（ｃ）の訂正事項に関連する記載として、同公報第２頁左欄第１４〜１７行、同頁右欄第４０〜４８行に記載されているように、本件に係る発明は、編集メニューの表示位置をカーソルの位置と関係付けるものであって、この際、カーソル位置は表示画面上の編集情報の位置に常に対応しているのが前提条件となっているものであり、この前提条件である、カーソルは移動しないことを明記したものである。
　上記（ｄ）の訂正事項に関連する記載として、特許請求の範囲の記載の訂正に伴って、特許請求の範囲の記載と発明の詳細な説明の欄の記載との整合を取るために訂正したものである。
　そうすると、上記（ａ）〜（ｃ）の訂正は、特許請求の範囲の減縮を目的とするものであり、また上記（ｄ）の訂正は、明りょうでない記載の釈明を目的とするものである。
　そして、上記いずれの訂正も新規事項の追加に該当せず、また実質上特許請求の範囲を拡張し、又は変更するものではない。
　３．独立特許要件の判断
（１）訂正明細書の特許請求の範囲の請求項１に係る発明
　訂正明細書の特許請求の範囲の請求項１に係る発明（以下、「本件発明」という。）は、その特許請求の範囲の請求項１に記載された次のとおりのものである。
「１．入力手段と、表示手段と、前記入力手段からの入力情報に基づいた編集情報と編集メニューを前記表示手段に表示し、編集メニュー選択用カーソルで選択された編集メニューに従った情報編集を実行する制御手段とを備えた情報処理装置において、
　前記制御手段に、編集メニュー選択用カーソル位置が含まれるように編集メニュー選択用カーソル位置の近くに前記編集情報に優先して前記編集メニューの全領域を表示すると共に編集メニュー選択用カーソル位置が表示画面の端部にあるときに編集メニュー表示の指示があった場合には、前記編集メニュー選択用カーソルを移動することなく前記編集メニューの全領域が表示されるようにその編集メニューを表示画面の中央側に寄せて表示する編集メニュー表示位置制御手段を設けた
　ことを特徴とする情報処理装置。」
（２）引用例の記載事項
　本件特許発明に対して、当審が通知した取消理由で引用した刊行物１（特開昭６２−４９５２８号公報）（以下、「引用例１」という。）には、ユーザに適切なヘルプガイド情報を与えるヘルプガイド方式が示されており、「ガイド要求信号及び表示対象指定信号を入力するための入力手段と、ガイド情報中の文章、語彙、図、イメージ、表、記号等の表示対象に夫々対応したヘルプガイド情報を記憶した記憶手段と、ガイド情報を表示するための表示手段と、この表示手段に表示されたガイド情報に対し前記入力手段よりガイド要求信号及び表示対象指定信号が入力された場合これに対応するヘルプガイド情報を前記記憶手段より検索する検索手段と、前記表示手段に表示されたガイド情報において表示対象指定信号に該当する箇所とヘルプガイド情報の表示領域との関係を求める手段と、この手段より求められた関係に基いて前記検索手段より検索されたヘルプガイド情報を前記表示手段に表示させる手段とを具備したことを特徴とするヘルプガイド方式。」（「特許請求の範囲」参照）なる事項が記載されている。
　同引用例１には、その第３頁右下欄第２行〜第４頁左上欄第１０行に「説明中の各用語が分からない部分がある場合、ユーザは、ガイドを指すとともにガイドしてほしい対象部分（本実施例では、「タブ」）を指す。ガイド指示及び、指定された対象の画面での位置情報が、Ｉ／Ｏ制御機能部を通じて、ガイド制御機能部３１２へ渡される。するとガイド制御機能部３１２は、ガイドが指定されたことを確認し（第７図ステップ７６）、その後指定された対象の画面での位置情報から、ガイドウィンドウにすける（相対的）位置（ａ１,ｂ１）を検出（第７図ステップ７７）する。その後対応表スタックの（ｈ＝１）レベルの対応表で、対象の位置（ａ１，ｂ１）に対して、たとえばタブの場合Ｘ１≦ａ１かつａ１≦Ｚ１かつＹ１≦ｂ１かつｂ１≦Ｗ１となることを（４−ａ表参照）、確認することにより利用者が「タブ」を選択したことが判る。従ってテキスト番号、対応表番号が検索される（第７図ステップ７８）。本例の場合ガイドテキスト１．１、対応表１．１が検索される（第４図４−ｂ）。ここで対象が指定されたかどうかが判定される（第７図ステップ７９）。対象が指定されている場合（本例では、タブ、ガイドテキスト１．１、対応表１．１）、スタックポインタのレベルをｈ←ｈ＋１にし（第７図ステップ７１０）、ガイド情報と対応表を読み込み、それぞれガイド用スタック、対応表用スタックに積む（第７図ステップ７１１）。」、また引き続き第４頁左上欄第１０行〜同頁右上欄第９行に「次にガイドしたい対象（本例では、「タブ」）の下、あるいは右、上、下のいずれの位置にガイド表示するかを決定する（第７図ステップ７１２）。この決定方法の一例としては、ガイドしたい対象の全画面上での位置から画面の下端、右端、上端、左端までの長さを算定し、これとガイド表示ウィンドウの幅、大きさを比較して決定する。例えば第６図で「タブ」から下端、右端、上端、左端までの長さがそれぞれｌ１，ｌ２，ｌ３，ｌ４であり、ガイド表示したいガイドウィンドウが高さｋ１，幅ｋ２とする。このとき決定方法の一例としては、まずｌ１＞Δα＋ｋ１を判定する。ここでΔαはガイド説明したい対象にそのガイドウィンドウが重ならないことを保証する。これが成立するなら対象の下にガイド表示がされる。ｌ１＝Δα＋ｋ１ならば、次にｌ２＞Δα＋ｋ２を判定する。これが成立すれば、対象の右側にガイド表示がなされる。そうでない場合は、同様にｌ３＞Δα＋ｋ１、ｌ４＞Δα＋ｋ２の順に判定される。このようにして表示可能な位置にガイド表示がなされる。」なる事項が記載されている。
　同刊行物２（特開昭６３−１９５７２７号公報）（以下、「引用例２」という。）には、複数の表示領域を持つ場合のメニュー表示方式が示されており、「位置、大きさの可変な複数個の表示領域を表示する手段を有する対話用端末及び計算機を持つ情報処理装置において、画面上の任意の位置を指定する手段と、該指定位置がどの表示領域に属するかを判定する手段と、属する表示領域によってメニューの内容を選択する手段と、選択されたメニューを該指定位置に表示する手段を有することを特徴とする メニュー表示方式。」（「特許請求の範囲」参照）なる事項が記載されている。
　同刊行物３（特開昭６１−１０９１３７号）（以下、「引用例３」という。）には、ウィンドウ内に援助情報を表示する援助情報表示位置決定方法が示されており、「キーボード/ディスプレイを有するコンピュータシステムにおいて、前記システムのディスプレイのスクリーン上にあるウインドウ内に援助情報を表示し、前記ウインドウを、前記スクリーン上の、援助を要求している動作点に隣接している位置に置くようにしたことを特徴とする援助情報表示位置決定方法 。」（「特許請求の範囲」参照）なる事項が記載されている。
　同引用例３には、その第３頁右下欄下から第５行〜同欄末行に「第２図は４つの象限からなる表示スクリーン１０を示す。表示スクリーン１０は、２５行×８０文字の表示に合わせて縦横に分割される。もっと広い表示スクリーンでは、異なった分割の基準を用いる。」、また第５頁右上欄第３行〜同頁左下欄第３行に「ユーザは、情報すなわち援助を必要とする項目または対象の下に、第３図に示した下線のようなカーソルを置き、援助キーを押下げる。援助ウィンドウの位置については３つのケースが考えられる。第１は、第３図に示すように、表示スクリーン全体にわたって表示がなされている場合である。ブロック２２でカーソルの位置と対象の象限が探索され、ブロック２３で、この対角象限に援助情報が表示される。第２は、第４図に示すように、同時にメニュ選択ウィンドウと援助ウィンドウが重複せずにスクリーン上に表示される場合である。ブロック２４で、援助を必要とする点と対角の空白象限が探索され、ブロック２５で、空白象限が見つかると、ブロック２６で、援助情報が表示される。この場合、援助情報をどの空白象限に表示しても良いが、特に指示がなければ、対角象限が選択される。ブロック２５で、空白象限が見つからない場合は、前述のように、ブロック２２および２３の動作が実行され、対角象限に援助情報が表示される。」なる事項が記載されている。
（３）対比・判断
　本件発明と上記引用例１に記載の事項とを対比すると、引用例１ではガイド情報が画面上で元々規定された規定位置に表示されるものであって、且つその規定位置において更に特定位置での字句を表示の対象とするものであるのに対して、本件発明では表示画面上での上述した規定位置並びに特定位置を対象とするのではなくて、画面上のあらゆる位置に対応付けされ得るカーソル位置での編集メニューの表示であり、そしてカーソル位置が中央部であるか端部であるかを判断して、端部の場合であっても編集メニューの全領域表示をしようとするものである。
　即ち、引用例１には、ガイドしたい字句が端部にあることを判断してガイド説明表示を画面中央側に寄せるという思想が開示されていない。
　本件発明と上記引用例２に記載の事項とを対比すると、引用例２ではカーソルで編集メニューの表示位置を指定して当該メニューを表示させることが示されており、その際、カーソルの位置は入力手段の操作によって適宜に指示されて編集メニューを表示しようとする思想であるのに対して、本件発明では、カーソル位置の位置は編集情報の位置に対応付けされた位置であって、そのカーソル位置が中央部であるか端部であるかを判断して、端部の場合であっても編集メニューの全領域表示をしようとするものである。
　即ち、引用例２には、編集情報の位置に対応付けされたカーソル位置が画面の端部にあることを判断して編集メニューを画面中央側に寄せるという思想が開示されていない。
　本件発明と上記引用例３に記載の事項とを対比すると、引用例３ではスクリーン上の適宜の場所に援助情報を表示することが開示されているが、本件発明のように編集情報及び編集メニューを表示対象としたものではなく且つカーソルを含んだ近くに編集情報を表示するものもない。
　本件発明（以下、「前者」という。）と上記引用例１〜３に記載の事項（以下、「後者」という。）とを対比すると、後者のいずれも、少なくとも前者の構成要件である「編集メニュー選択用カーソル位置が表示画面の端部にあるときに編集メニュー表示の指示があった場合には、前記編集メニュー選択用カーソルを移動することなく前記編集メニューの全領域が表示されるようにその編集メニューを表示画面の中央側に寄せて表示する編集メニュー表示位置制御手段を設けた」構成を具備していない。
  そして、前者は上記構成要件を具備することにより、後者のいずれからも予測できない明細書記載のとおりの「カーソル位置の近くに編集メニューを表示しようとすると、編集メニュー選択用カーソル位置が表示画面の端部にあるときには、編集メニューの表示領域の一部が表示画面の外にはずれてしまう虞れがあるが、このような場合には、編集メニューの表示画面の中央側に寄せて表示するようにしたので、前記カーソル位置が表示画面の端部にある場合にも、編集メニューの一部が表示画面の外に外れてしまうことがなく、編集メニューの全領域が表示される。したがって、編集メニュー選択用カーソル位置を所望の編集メニューまで移動させる距離が常に短かくなって、カーソル移動による編集メニュー選択入力操作が容易になり、しかも、常に編集メニューの全領域を表示することができる。」という格別の作用効果を奏するものである。
　したがって、前者は、後者に基づいて当業者が容易に発明をすることができたものとすることはできず、また引用例１、引用例１〜２、引用例３、又は引用例１、３に記載された事項に基づいて当業者が容易に発明をすることができたものとすることはできない。
　よって、本件発明は特許出願の際独立して特許を受けることができない発明とすることはできない。
（４）むすび
　以上のとおりであるから、上記訂正は、特許法第１２０条の４第２項及び同条第３項で準用する第１２６条第２〜４項の規定に適合するので、当該訂正を認める。
【３】特許異議の申立てについての判断
  １．申立ての理由の概要
　特許異議申立人渡部廣美は、甲第１号証（引用例１）〜甲第３号証（引用例３）を提出し、特許請求の範囲の請求項１に係る発明は、甲第１号証、甲第１〜２号証、甲第３号証、又は甲第１、３号証に記載された事項に基づいて当業者が容易に発明をすることができたものであり、特許法第２９条第２項の規定に違反してなされ、また本件明細書の記載に不備があり、本件特許は特許法第３６条第４及び第５項の規定に違反してなされたものであるから、その特許は取り消されるべきものである旨主張している。
 ２．判断
２−１．特許法第２９条第２項違反について
　本件発明は、上記【２】３．独立特許要件の判断で示したように、甲第１号証、甲第１〜２号証、甲第３号証、又は甲第１、３号証に記載された事項に基づいて当業者が容易に発明をすることができたものとすることはできない。
２−２．特許法第３６条各項違反について
　本件明細書の記載に不備がある旨の主張については、主として、実施例には、本件発明に係る構成要件「カーソル位置が表示画面の端部にあるときに編集メニュー表示の指示があった場合には、・・・その編集メニューを表示画面の中央側に寄せて表示する」に相当する記載がない旨述べている。
　そこで本件明細書の記載を検討すると、特許異議申立人の指摘箇所である特許公報第３頁左欄第３０行〜同頁右欄第１行に「第５図（イ）、（ロ）は・・・この表示例は表示装置２００の表示画面２０１を９つの領域２０１Ｄ〜２０１Ｌに分割して管理し、アイコン表示指示入力があったときのマウスカーソル２０２がこの領域２０１Ｄ〜２０１Ｌのどの領域にあるかをカーソル位置情報メモリ１１４から読出したカーソル位置情報から検出し、マウスカーソル２０２が表示されている領域にアイコン表示領域２０１Ｃを決定するものである。第５図（イ）の表示状態ではアイコン表示指示入力があった場合のアイコン表示領域２０１Ｃは、第５図（ロ）に示すように、領域２０１Ｇとなる。第１図（イ）、（ロ）に例示した表示例では、マウスカーソル２０２が表示画面２０１の端部にあるとアイコン表示領域２０１Ｃの一部が表示画面２０１の外にはみでてしまうが、第５図（イ）、（ロ）の表示例のようにすればこのようなことがなくなる。」と記載されている。
　上記記載は、出願当初の明細書及び図面に記載されたものであり、これはカーソル位置が表示画面の端部にあることを判断して、カーソルを移動することなく編集メニューの表示を中央側に寄せて全領域を表示しようとするものであり、同公報第３頁左欄第１７〜２４行にも記載されているように、「編集メニュー選択用カーソル位置が表示画面の端部にあるときには、編集メニューの表示領域の一部が表示画面の外にはずれてしまう虞れがあるが、このような場合には、編集メニューの表示画面の中央側に寄せて表示するようにしたので、前記カーソル位置が表示画面の端部にある場合にも、編集メニューの一部が表示画面の外に外れてしまうことがなく、編集メニューの全領域が表示される」ようにするものである。
　してみると、本件発明に係る上記構成要件は発明の詳細な説明の欄の記載によって支持されていることは明らかであり、本件明細書の記載に不備がある旨の特許異議申立人の主張は採用することができない。
【４】むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１２年１０月３１日（２０００．１０．３１）
【訂正の要旨】
（１）特許請求の範囲の請求項１の記載を、特許請求の範囲の減縮を目的として下記のように訂正する。
　「１．入力手段と、表示手段と、前記入力手段からの入力情報に基づいた編集情報と編集メニューを前記表示手段に表示し、編集メニュー選択用カーソルで選択された編集メニューに従った情報編集を実行する制御手段とを備えた情報処理装置において、
　前記制御手段に、
編集メニュー選択用カーソル位置が含まれるように
の全領域
前記編集メニュー選択用カーソルを移動することなく
　ことを特徴とする情報処理装置。」
（２）発明の詳細な説明の欄の［課題を解決するための手段］（特許公報第２頁左欄第１８〜３１行参照）における「前記制御手段に、・・・ことを特徴とする。」を、明りょうでない記載の釈明を目的として上記（１）の訂正と併せて下記のように訂正する。
「前記制御手段に、編集メニュー選択用カーソル位置が含まれるように編集メニュー選択用カーソル位置の近くに前記編集情報に優先して前記編集メニューの全領域を表示すると共に編集メニュー選択用カーソル位置が表示画面の端部にあるときに編集メニュー表示の指示があった場合には、前記編集メニュー選択用カーソルを移動することなく前記編集メニューの全領域が表示されるようにその編集メニューを表示画面の中央側に寄せて表示する編集メニュー表示位置制御手段を設けたことを特徴とする。」
（５４）【発明の名称】
情報処理装置
（５７）【特許請求の範囲】
　　【請求項１】　入力手段と、表示手段と、前記入力手段からの入力情報に基づいた編集情報と編集メニューを前記表示手段に表示し、編集メニュー選択用カーソルで選択された編集メニューに従った情報編集を実行する制御手段とを備えた情報処理装置において、
　前記制御手段に、
編集メニュー選択用カーソル位置が含まれるように
の全領域
前記編集メニュー選択用カーソルを移動することなく
　ことを特徴とする情報処理装置。
【発明の詳細な説明】
　　〔産業上の利用分野〕
　本発明は情報処理装置に係り、特に表示画面に表示した編集メニユーをカーソルによつて選択する機能を有する情報処理装置に関する。
　　〔従来の技術〕
　ワードプロセツサやパーソナルコンピユータのような情報処理装置において、編集メニユーをアイコンとマウスカーソルによつて選択入力することが行なわれている。
　従来、この種の装置では、第６図に示すように、表示装置２００の表示画面２０１が編集情報（編集データ）表示領域２０１Ａとアイコン（編集メニユー）表示領域２０１Ｂに区画されており、各領域は独立して定位置に割当てられていた。
また、特開昭６０−１８４２８８号公報には必要時にアイコン（表示領域）を編集情報表示領域の一部に表示するアイコン表示方法が提案され、更に、実開昭６１−９４８９１号公報には必要時に編集情報の少ない編集情報表示領域にアイコンを表示するアイコン表示方法が提案されている。
　　　〔発明が解決しようとする課題〕
　しかしながらこれらの従来の情報処理装置では、マウスカーソルによるアイコン（編集メニユー）選択入力操作の簡易化についての配慮がなされておらず、編集状態の如何によつては、アイコン表示領域２０１Ｂが編集操作中のマウスカーソル２０２Ａから遠く離れた位置に表示されるために、選択入力のための位置２０２Ｂまでのマウスカーソル移動距離が長くなつてアイコン選択入力操作が面倒になる欠点があつた。
　従つて本発明の目的は、編集メニーをカーソル位置によつて選択入力する情報処理装置において、メニユー選択入力操作を容易にし、しかも常に編集メニユーの全領域が表示されるようにすることにある。
　　　〔課題を解決するための手段〕
　本発明はこの目的を達成するために、入力手段と、表示手段と、前記入力手段からの入力情報に基づいた編集情報と編集メニューを前記表示手段に表示し、編集メニュー選択用カーソルで選択された編集メニューに従った情報編集を実行する制御手段とを備えた情報処理装置において、
　前記制御手段に、
編集メニュー選択用カーソル位置が含まれるように
の全領域
前記編集メニュー選択用カーソルを移動することなく
　　〔作用〕
　編集メニューは編集メニュー選択用カーソル位置の近くに前記編集情報に優先して表示するようにしたので、前記カーソル位置の近くに既に編集情報が表示されている場合にも、編集メニューは編集情報に優先して常に前記カーソル位置の近くに表示され、編集メニュー選択用カーソルを所望の編集メニューまで移動させる距離が短くなる。
　そして、このようにカーソル位置の近くに編集メニューを表示しようとすると、編集メニュー選択用カーソル位置が表示画面の端部にあるときには、編集メニューの表示領域の一部が表示画面の外にはずれてしまう虞れがあるが、このような場合には、その編集メニューを表示画面の中央側に寄せて表示するようにしたので、編集メニューの全領域が表示され、かつこの場合にも編集メニュー選択用カーソル位置を所望の編集メニューまで移動させる距離が短くなる。
　　　〔実施例〕
　以下、本発明の実施例を図面を参照して説明する。
　第２図は本発明になるワードプロセツサの全体斜視図で、１００は制御装置を内装した本体、２００は表示装置、３００はキー入力装置、４００はマウス入力装置である。表示装置２００は表示画面２０１を有し、キー入力装置３００は文字や記号や機能入力キー３０１を有し、マウス入力装置４００は指定入力スイツチ４０１と該マウス入力装置４００の移動方向と移動量（以下移動情報という）を電気信号に変換する移動情報変換部とを有する。
　本体１００に内装された制御装置は、前記キー入力装置３００およびマウス入力装置４００からの入力情報に従つた文書編集処理を実行し、編集文書および編集メニユーであるアイコンを前記表示装置２００の表示画面２０１に表示させる。なお、本発明ではアイコン表示領域は固定されていない。
　第３図は該ワードプロセツサの電気的ブロツク図である。
本体１００に内装された前記制御装置は参照符号１１０で示してあり、ＣＰＵ等の論理演算素子によつて構成されるデータ処理部１１１と文書情報メモリ１１２とマウス位置情報メモリ１１３とカーソル位置情報メモリ１１４と表示制御部１１５とを備える。マウス入力装置４００は、前記指定入力スイッチ４０１と前記移動情報変換部４０２と該指定入力スイツチ４０１のオン・オフ情報や該移動情報変換部４０２から得られる移動情報を一連のデータ型式信号に整えて前記データ処理部１１１と通信する制御回路４０３とを備える。
　前記データ処理部１１１は、前記キー入力装置３００から入力される文字や記号および機能指示情報および前記マウス入力装置４００から入力されるマウス入力装置移動情報や指定入力情報等に従つて文書編集処理を実行するに際して文書情報を文書情報メモリ１１２に格納し、マウス位置情報をマウス位置情報メモリ１１３に格納し、カーソル位置情報をカーソル位置情報メモリ１１４に格納し、編集文書情報やカーソル位置情報やアイコン情報を前記表示装置２００に表示するために表示制部１１５に与える。
　表示制御部１１５は、データ処理部１１１からの指示に従つて編集文書情報やカーソルやアイコンを前記表示装置２００の表示画面２０１に表示する。編集文書情報表示には表示画面２０１の全体が活用される。
　マウスカーソル表示制御において、データ処理部１１１はマウスカーソル位置計算のために、マウス入力装置４００に対してデータリクエスト信号Ａを送出する。マウス入力装置４００の制御回路４０３は、該マウス入力装置４００が移動した移動情報と指定入力スイッチ４０１のオン・オフ情報等を一連のデータ型式に整え、前記データリクエスト信号Ａを入力するとこの一連の情報データをシリアルあるいはパラレル信号の形でデータ処理部１１１に送出する。データ処理部１１１は、マウス入力装置４００から受取つた情報データをもとにマウス入力装置４００の位置を算出し、得られたマウス位置情報をマウス位置情報メモリ１１３に格納する。更に、該マウス位置情報を基に表示装置２００の表示画面２０１上でのマウスカーソルの表示位置を算出し、得られたマウスカーソル位置情報をカーソル位置情報メモリ１１４に格納する。
　そして、データ処理部１１１は、キー入力装置３００あるいはマウス入力装置４００からアイコン表示指示入力を受取るとカーソル位置に応じた位置にアイコン表示領域を設定して該領域にアイコンを表示させてマウス入力装置４００からの選択入力に備える。
　第４図はデータ処理部１１１におけるアイコン表示と情報処理フローチヤートを示し、第１図（イ），（ロ）はそのときの表示画面２０１の表示画像を示している。第１図（イ）のような表示画面で情報処理中にキー入力装置３００またはマウス入力装置４００からアイコン表示指示入力があると、データ処理部１１１は処理１２１において該アイコン表示指示入力を受取り、処理１２２でそのときのマウスカーソル位置情報をカーソル位置情報メモリ１１４から読取り、処理１２３で該カーソル位置情報からアイコン領域表示位置を算出する。この算出はマウスカーソル２０２の表示位置がアイコン表示領域２０１Ｃの中心となるように行なう。そして処理１２４で、第１図（ロ）に示すように、該アイコン表示領域２０１Ｃにアイコンを表示する。この際、アイコン表示領域２０１Ｃが既に表示されている編集情報表示領域（第１図（ロ）では三角形で示されている。）と重複する場合には、図示のように、アイコンを編集情報に優先して表示する。処理１２５ではマウス入力装置４００からの選択入力によつて選択されたアイコンを選定し、処理１２６ではアイコン領域（アイコン）を消去し、処理１２７で選択されたアイコンに相当する情報処理の実行に入る。
　第５図（イ），（ロ）はアイコン表示の他の表示例を示している。前記表示例は、アイコン領域表示位置を、マウスカーソル２０２が該アイコン表示領域２０１Ｃの中心となるように算出したが、この表示例は表示装置２００の表示画面２０１を９つの領域２０１Ｄ〜２０１Ｌに分割して管理し、アイコン表示指示入力があつたときのマウスカーソル２０２がこの領域２０１Ｄ〜２０１Ｌのどの領域にあるかをカーソル位置情報メモリ１１４から読出したカーソル位置情報から検出し、マウスカーソル２０２が表示されている領域にアイコン表示領域２０１Ｃを決定するものである。第５図（イ）の表示状態でアイコン表示指示入力があつた場合のアイコン表示領域２０１Ｃは、第５図（ロ）に示すように、領域２０１Ｇとなる。
　第１図（イ），（ロ）に例示した表示例では、マウスカーソル２０２が表示画面２０１の端部にあるとアイコン表示領域２０１Ｃの一部が表示画面２０１の外にはみでてしまうが、第５図（イ），（ロ）の表示例のようにすればこのようなことがなくなる。
　何れの表示例の場合でも、アイコン表示領域２０１Ｃはそのときのマウスカーソル２０２の近くに表示されるので、アイコン選択のためのマウスカーソル２０２の移動距離は短くなり、選択入力操作が容易になる。
　また、以上に述べた表示例は編集メニユー表示をアイコンによつたが、文字による表示選択の場合でも同様のことがいえる。
　　　〔発明の効果〕
　以上のように本発明によれば、編集メニューは編集メニュー選択用カーソル位置の近くに、編集情報に優先して表示するようにしたので、前記カーソル位置の近くに既に編集情報が表示されている場合にも、編集メニューは編集情報に優先して常に前記カーソル位置の近くに表示される。
　そして、このようにカーソル位置の近くに編集メニューを表示しようとすると、編集メニュー選択用カーソル位置が表示画面の端部にあるときには、編集メニューの表示領域の一部が表示画面の外にはずれてしまう虞れがあるが、このような場合には、その編集メニューを表示画面の中央側に寄せて表示するようにしたので、前記カーソル位置が表示画面の端部にある場合にも、編集メニューの一部が表示画面の外に外れてしまうことがなく、編集メニューの全領域が表示される。
　したがって、編集メニュー選択用カーソル位置を所望の編集メニューまで移動させる距離が常に短かくなって、カーソル移動による編集メニュー選択入力操作が容易になり、しかも、常に編集メニューの全領域を表示することができる。
【図面の簡単な説明】
　第１図〜第５図は本発明の実施例を示すもので、第１図（イ），（ロ）は編集メニユー表示選択における表示画面の表示画像例説明図、第２図はワードプロセツサの全体斜視図、第３図は該ワードプロセツサの電気的ブロツク図、第４図はデータ処理部におけるアイコン表示と情報処理フローチヤート、第５図（イ），（ロ）は編集メニユー表示選択の他の表示画像例説明図であり、第６図は従来装置の編集メニユー表示選択における表示画面の表示画像例説明図である。
　１００……本体、１１０……制御装置、１１１……データ処理部、１１２……文書情報メモリ、１１３……マウス位置情報メモリ、１１４……カーソル位置情報メモリ、１１５……表示制御部、２００……表示装置、２０１……表示画面、２０１Ｃ……アイコン表示領域、３００……キー入力装置、４００……マウス入力装置、４０１……指定入力スイツチ、４０２……移動情報変換部、４０３……制御回路。